(57)【要約】【課題】  プランジャーの操作のみによりシリンジ内の複数の液剤等を攪拌して十分に混合することができ、液剤等の種類や混合比などの多様性にも対応することができる混合噴出器を提供すること。【解決手段】  筒状のシリンジと、プランジャーロッドと、キャップとを具えた混合噴出器であって、プランジャーロッドは、シリンジ内に摺動自在に挿入される大径プランジャーロッドと、大径プランジャーロッド内で摺動自在に上下動する小径プランジャーと、大径プランジャーロッドに装着される装着体と、小径プランジャーと装着体との間に弾装されるスプリング部材とからなり、大径プランジャーロッドは、中央に連通孔を穿設した前端壁と、外側フランジとを具え、小径プランジャーは、大径プランジャーロッドの周壁内周に摺動自在に挿入するピストン壁を具え、装着体は、外側フランジに係合する内側フランジを具えていることを特徴とする構成を採用する。【選択図】  図１
2014045949.tif 000002
【特許請求の範囲】
【請求項１】
後端が開放され、前端に流通口を有するノズル部を設けた前壁を有する筒状のシリンジと、シリンジに摺動可能に挿入されるプランジャーロッドと、ノズル部の流通口を開閉するキャップとを具えた混合噴出器であって、
プランジャーロッドは、シリンジ内に摺動自在に挿入される筒状の大径プランジャーロッドと、大径プランジャーロッド内で摺動自在に上下動する小径プランジャーと、大径プランジャーロッドの後端に装着される装着体と、小径プランジャーと装着体との間に弾装されるスプリング部材とからなり、
大径プランジャーロッドは、中央に連通孔を穿設し、外周がシリンジの胴部内周に摺動自在に挿入する前端壁と、周壁と、周壁の後端外周に連設される外側フランジとを具え、
小径プランジャーは、外周が、大径プランジャーロッドの周壁内周に摺動自在に挿入するピストン壁と、ピストン壁の後面に連設される前周壁とを具え、
装着体は、後周壁と、内壁と、後周壁の外周後端に連設され、外周が大径プランジャーロッドの外側フランジの外周壁に係合する内側フランジとを具え、
大径プランジャーロッドの前端壁の連通孔により、シリンジ内と大径プランジャーロッド内が連通していることを特徴とする混合噴出器。
【請求項２】
スプリング部材が、前端部が小径プランジャーの前周壁後端面と、後端部が装着体の内壁前面との間で係合し、小径プランジャーのピストン壁の前面を大径プランジャーロッドの前端壁の後面に圧着させる弾力を有していることを特徴とする請求項１記載の混合噴出器。
【請求項３】
大径プランジャーロッドの前端壁の連通孔が、多数の小孔で形成されていることを特徴とする請求項１または２記載の混合噴出器。
【請求項４】
大径プランジャーロッドの外側フランジは、フランジ壁と、フランジ壁後面外周に連設される外周壁とを具え、
フランジ壁にエアー通過孔が穿設され、
装着体の後周壁外周と、大径プランジャーロッドの周壁内周との間、および、装着体の内側フランジ前面と、大径プランジャーロッドのフランジ壁後面との間に間隙を形成することを特徴とする請求項１〜３にいずれかに記載の混合噴出器。
【請求項５】
内周がシリンジのノズル部外周と係合する装着部材と、装着部材の上部中央に取着され、流通口からの流路となる中空の針部材とを具えたノズル部材を、シリンジのノズル部にキャップに変えて装着することを特徴とする請求項１〜４のいずれかに記載の混合噴出器。
【発明の詳細な説明】
【技術分野】
【０００１】
本発明は、複数の液剤等を混合してノズルから噴出させる混合噴出器に関し、とくに、別途特別な器具を必要とせずプランジャーの操作のみによって複数の液剤等を十分に混合することができ、取り扱いが簡便な混合噴出器に関するものである。
【背景技術】
【０００２】
例えば医薬用の注射器では、複数種類の液状薬剤を混合して投与する場合があるが、薬剤の安定性の問題から予め混合しておくことができなかったり、必要とされる薬剤の種類や混合比などの多様性から、投与する直前に複数の薬剤を混合しなければならない場合がある。
また、２液混合型の接着剤をノズルなどから噴出させて使用する場合には、混合後時間が経過すると固まってしまうため、使用する直前に混合する必要がある。
【０００３】
従来、このように複数の液剤等を混合して噴出させる器材では、各液剤等を封入した容器からそれぞれ各液剤等を噴出器のシリンジ内に吸引した後、シリンジを振って液剤等を混合し噴出して使用していた。
しかし、このように噴出器のシリンジを振るだけでは、液剤等が十分に混合できない場合があり、とくに液剤等の粘性が高いような場合や、互いに分離しやすい性質の液剤等の場合には、混合が不十分となることがあった。
【０００４】
また、複数の薬剤を中栓によって隔てて収納した容器を用い、使用時に中栓を脱落させて薬剤を容器内で混合し噴出器に吸引するものや（例えば、特許文献１参照）、予めシリンジ内に栓体を挟んで複数の液剤等を充填しておき、プランジャーを押していくと、栓体を越えて液剤等が一体となって混合されるようにシリンジ内面形状を変化させた混合噴出器（例えば、特許文献２参照）なども従来より知られている。
【先行技術文献】
【特許文献】
【０００５】
【特許文献１】実願昭６２−８９６９０号（実開昭６３−１９７５４２号）のマイクロフィルム
【特許文献２】特開平９−２２５０３２号公報
【発明の概要】
【発明が解決しようとする課題】
【０００６】
しかしながら、上記特許文献１記載の液剤等の容器を使用しても、手で振って混合するだけであるから十分に混合することができない。
また、上記特許文献２記載の混合噴出器は、複数の液剤等を一体にすることはできるが攪拌できるわけではないから、従来と同様にシリンジを振って混合しなければならず、やはり十分に混合することができなかった。
しかも、これら特許文献１や特許文献２記載のものでは、予め各液剤等の種類と量の組合せをそろえておかなければならないから、必要とされる液剤等の種類や混合比などの多様性に対応することが難しいという問題があった。
【０００７】
本発明は、上記問題を解決することを課題とし、別途特別な器具を必要とせずに、プランジャーの操作のみによりシリンジ内の複数の液剤等を攪拌して十分に混合することができ、必要な液剤等の種類や混合比などの多様性にも対応することができ、取り扱いが簡便な混合噴出器を提供することを目的とする。
【課題を解決するための手段】
【０００８】
本発明は、上記の課題を解決するため、混合噴出器として、後端が開放され、前端に流通口を有するノズル部を設けた前壁を有する筒状のシリンジと、シリンジに摺動可能に挿入されるプランジャーロッドと、ノズル部の流通口を開閉するキャップとを具えた混合噴出器であって、プランジャーロッドは、シリンジ内に摺動自在に挿入される筒状の大径プランジャーロッドと、大径プランジャーロッド内で摺動自在に上下動する小径プランジャーと、大径プランジャーロッドの後端に装着される装着体と、小径プランジャーと装着体との間に弾装されるスプリング部材とからなり、大径プランジャーロッドは、中央に連通孔を穿設し、外周がシリンジの胴部内周に摺動自在に挿入する前端壁と、周壁と、周壁の後端外周に連設される外側フランジとを具え、小径プランジャーは、外周が、大径プランジャーロッドの周壁内周に摺動自在に挿入するピストン壁と、ピストン壁の後面に連設される前周壁とを具え、装着体は、後周壁と、内壁と、後周壁の外周後端に連設され、外周が大径プランジャーロッドの外側フランジの外周壁に係合する内側フランジとを具え、大径プランジャーロッドの前端壁の連通孔により、シリンジ内と大径プランジャーロッド内が連通していることを特徴とする構成を採用する。
【０００９】
スプリング部材の実施例として、スプリング部材が、前端部が小径プランジャーの前周壁後端面と、後端部が装着体の内壁前面との間で係合し、小径プランジャーのピストン壁の前面を大径プランジャーロッドの前端壁の後面に圧着させる弾力を有していることを特徴とする構成を採用する。
【００１０】
プランジャーロッドの実施例として、大径プランジャーロッドの前端壁の連通孔が、多数の小孔で形成されていることを特徴とする構成、さらに、大径プランジャーロッドの外側フランジは、フランジ壁と、フランジ壁後面外周に連設される外周壁とを具え、フランジ壁にエアー通過孔が穿設され、装着体の後周壁外周と、大径プランジャーロッドの周壁内周との間、および、装着体の内側フランジ前面と、大径プランジャーロッドのフランジ壁後面との間に間隙を形成することを特徴とする構成を採用する。
【００１１】
シリンジのノズル部の実施例として、内周がシリンジのノズル部外周と係合する装着部材と、装着部材の上部中央に取着され、流通口からの流路となる中空の針部材とを具えたノズル部材を、シリンジのノズル部にキャップに変えて装着することを特徴とする構成を採用する。
【発明の効果】
【００１２】
本発明の混合噴出器は、プランジャーロッドが、シリンジ内に摺動自在に挿入される筒状の大径プランジャーロッドと、大径プランジャーロッド内で摺動自在に上下動する小径プランジャーと、大径プランジャーロッドの後端に装着される装着体と、小径プランジャーと装着体との間に弾装されるスプリング部材とからなっており、プランジャーロッドを引いてシリンジ内に複数の液剤等を吸入した後、シリンジにキャップを装着し、シリンジ内を密封し、プランジャーロッドを押圧し、前方に押し込むことにより、シリンジ内の液剤等を大径プランジャーロッドの前端壁の連通孔を介して大径プランジャーロッド内に移動させるとともに、小径プランジャーを後方に押し込み、プランジャーロッドの押圧を外すと、スプリング部材の反撥作用により、小径プランジャーを前方に押し戻し、大径プランジャーロッド内の液剤等を前端壁の連通孔を介してシリンジ内に移動させるとともに、大径プランジャーロッドを後方に押し戻させる。
プランジャーロッドの押し込み、戻しによるシリンジ内と大径プランジャーロッド内との液剤等の移動により、連通孔付近で乱流を起こし、液剤等を攪拌して混合することができ、簡便に複数液剤等を混合することができる。
【図面の簡単な説明】
【００１３】
【図１】本願発明の混合噴出器の一部断面側面図である。
【図２】プランジャーロッドの要部説明図であり、（ａ）は大径プランジャーロッドの説明図で、上から上面図、一部断面側面図、下面図、（ｂ）は装着体の説明図で、上から上面図、一部断面側面図である。
【図３】シリンジにノズル部材を装着した後、剤吸入時の説明図で、（ａ）は第１剤吸入時の一部断面側面図、（ｂ）は、第１剤に続き、第２剤吸入時の一部断面側面図である。
【図４】混合噴出器の説明図で、（ａ）はシリンジにキャップを装着した時の一部断面側面図、（ｂ）はキャップを装着後、プランジャーロッドを押圧し、押し込んだ時の一部断面側面図である。
【図５】混合噴出器の説明図で、（ａ）はプランジャーロッドを最後まで押し込んだ時の一部断面側面図、（ｂ）はプランジャーロッドの押圧を外した後、スプリング部材の反撥作用により小径プランジャーが押し戻される時の一部断面側面図である。
【図６】混合噴出器の説明図で、（ａ）はスプリング部材の反撥作用終了時の一部断面側面図、（ｂ）は剤混合後、キャップを外した時の一部断面側面図である。
【発明を実施するための形態】
【００１４】
次に、本発明の混合噴出器について、図面を参照して説明する。
図１において、Ａはシリンジ、Ｂはプランジャーロッド、Ｃはノズル部材、Ｄはキャップである。
【００１５】
図１に示すように、シリンジＡは、リング状の前壁１と、前壁１外縁から垂設され他端が開口となる胴部２と、前壁１内縁から立設され、流通口３を有するノズル部４と、前壁１前面に立設される装着部５とからなっている。
胴部２の外周の前壁１の反対側端部には、指掛け用のフランジ６が設けられている。
装着部５の内周には、ねじ７が螺設されている。
【００１６】
プランジャーロッドＢは、シリンジＡの胴部２の開口から摺動自在に挿入される筒状の大径プランジャーロッドＢ１と、大径プランジャーロッドＢ１内で摺動自在に上下動する小径プランジャーＢ２と、大径プランジャーロッドＢ１の後端に装着される装着体Ｂ３と、小径プランジャーＢ２と装着体Ｂ３との間に弾装されるスプリング部材Ｂ４とからなっている。
【００１７】
大径プランジャーロッドＢ１は、図１、２（ａ）に示すように、中央に多数の小孔の連通孔１０を穿設した前端壁１１と、前端壁１１の後面から連設される周壁１２と、周壁１２の後端外周に連設される外側フランジ１３とを具えており、前端壁１１の外周は、シリンジＡの胴部２内周に摺動自在に挿入する摺動突部１４となっている。
【００１８】
本実施例では、連通孔１０は前端壁１１に多数の小孔として形成されているが、単独の小孔であってもよい。
また、前端壁１１全体を別途網状部材とし、周壁１２の先端に取り付けることによって形成されるようにしてもよい。
【００１９】
周壁１２の外周の前端から後端付近の間には、所定の位置に突設され、外周がシリンジＡの胴部２の内周と係合して大径プランジャーロッドＢ１の上下動を安定させる案内リブ１５が複数本配設されている。
周壁１２の外周の後端部には、案内リブ１５の後端から少し離れた位置に、装着体Ｂ３を装着する係合突部１６が配設されている。
【００２０】
外側フランジ１３は、周壁１２の後端外周に連設されるフランジ壁１７と、フランジ壁１７外縁に垂設される外周壁１８とからなっている。
【００２１】
フランジ壁１７には、周壁１２のそれぞれの案内リブ１５がある位置に係合孔１９が穿設され、また、任意の位置にエアー通過孔２０が穿設されている。
【００２２】
小径プランジャーＢ２は、図１に示すように、外周が、大径プランジャーロッドＢ１の周壁１２内周に摺動自在に挿入されるピストン壁２１と、ピストン壁２１の後面に垂設される前周壁２２と、前周壁２２の所定の位置に複数本、前周壁２２の下端より長く伸び、周壁１２の内周と係合し、小径プランジャーＢ２の上下動を安定させる安定リブ２３が突設されている。
【００２３】
装着体Ｂ３は、図１、２（ｂ）に示すように、後周壁２４と、後周壁２４の内周の前側に連設される内壁２５と、後周壁２４の外周後端に連設される内側フランジ２６と、内側フランジ２６の前面の所定の位置に複数配設される装着片２７とからなっている。
【００２４】
装着片２７は、装着体Ｂ３を大径プランジャーロッドＢ１に装着する際に、大径プランジャーロッドＢ１のフランジ壁１７の係合孔１９を貫通する位置に、内側フランジ２６の前面にそれぞれ配設されるとともに、それぞれの先端部が大径プランジャーロッドＢ１の案内リブ１５の後端に当接する高さで形成されている。
また、それぞれの装着片２７の内側面には、上側面が大径プランジャーロッドＢ１の係合突部１６の下側面を乗り越え、下側面が係合突部１６の上側面に係合する係合突部２８が突設されている。
【００２５】
装着体Ｂ３は、大径プランジャーロッドＢ１に装着された際に、装着体Ｂ３の内側フランジ２６の外周は、大径プランジャーロッドＢ１の外側フランジ１３の外周壁１８の内周面に嵌入されるように形成されている。
また、後周壁２４外周と、大径プランジャーロッドＢ１の周壁１２内周との間、および、内側フランジ２６前面と大径プランジャーロッドＢ１の外側フランジ１３のフランジ壁１７後面との間に間隙を形成するように形成されており、該間隔とフランジ壁１７に穿設されたエアー通過孔２０を流通路とし、大径プランジャーロッドＢ１内の小径プランジャーＢ２と装着体Ｂ３との間の空間に外方からの空気の出し入れが可能となっている。
【００２６】
スプリング部材Ｂ４は、図１に示すように、プランジャーロッドＢを組み立てた際に、前端部が小径プランジャーＢ２の前周壁２２下端面と安定リブ２３内面と係合し、また、後端部が装着体Ｂ３の内壁２５の前面と後周壁２４の前端部内周と係合し、小径プランジャーＢ２と装着体Ｂ３との間で弾装されるようになっている。
【００２７】
ノズル部材Ｃは、図１、３に示すように、内周がシリンジＡのノズル部４外周と係合するとともに、外周が装着部５内周に係合する装着部材３０と、装着部材３０の上部中央に取着され、流通口３からの流路となる中空の針部材３１とからなっている。
装着部材３０の上部外周は、指などで摘み易く形成されている。
装着部材３０の外周下部には、装着部５のねじ７に螺合するねじ３２が螺設されている。
【００２８】
キャップＤは、図１、４に示すように、後面がシリンジＡのノズル部４の先端と当接し、流通口３を密封する前壁部３５と、前壁部３５の後面に垂設され、内周がノズル部４外周と係合するとともに、外周が装着部５内周に係合する装着壁３６とからなっている。
装着壁３６の外周下部には、装着部５のねじ７に螺合するねじ３７が螺設されている。
【００２９】
本実施形態では、シリンジＡの装着部５の内周にねじ７を設け、ノズル部材Ｃの装着部材３０の外周にねじ３２、または、キャップＤの装着壁３６の外周にねじ３７を設けて螺合させることにより、シリンジＡにノズル部材ＣまたはキャップＤを装着しているが、ねじによる螺合でなくても、それぞれの箇所に互いに係合するアンダーカットを設けることで互いを嵌合させ、シリンジＡにノズル部材ＣまたはキャップＤを着脱自在に装着できるようにしてもよい。
【００３０】
次に、本実施形態の使用態様と作用効果について、図面を参照して説明する。
まず、大径プランジャーロッドＢ１内方に小径プランジャーＢ２、スプリング部材Ｂ４を入れるとともに、大径プランジャーロッドＢ１の後部に装着体Ｂ３を装着し、プランジャーロッドＢを組み立てる。
プランジャーロッドＢをシリンジＡの奥まで挿入し、図１に示す状態にした後、ノズル部材ＣをシリンジＡの前部に装着する。
【００３１】
次に、図３（ａ）に示すように、第１剤ａを封入した容器Ｍ１にノズル部材Ｃの針部材３１を刺した後、シリンジＡに対してプランジャーロッドＢの大径プランジャーロッドＢ１の外側フランジ１３を引いてプランジャーロッドＢを後退させ、シリンジＡの胴部２内と大径プランジャーロッドＢ１の前端壁１１とで形成される内室を負圧にし、針部材３１を介して第１剤ａをシリンジＡ内の内室に所定量吸入する。
【００３２】
次いで、針部材３１を容器Ｍ１から引き抜き、図３（ｂ）に示すように、第１剤ａと異なる第２剤ｂの入った容器Ｍ２に、ノズル部剤Ｃの針部材３１を刺した後、再度、シリンジＡに対してプランジャーロッドＢの大径プランジャーロッドＢ１の外側フランジ１３を引いてプランジャーロッドＢを後退させると、シリンジＡの胴部２内を負圧にし、針部材３１を介して第２剤ｂを所定量吸入し、シリンジＡ内の内室に第１剤ａと第２剤ｂがともに収納された状態になる。
この状態では、第１剤ａと第２剤ｂは攪拌されていないため、均一の混合された状態にはなっていない。
【００３３】
なお、所定量の剤を吸入し易くするために、容器Ｍ１と容器Ｍ２、或いはシリンジＡの胴部２に目盛りを表示してもよい。
【００３４】
次に、ノズル部材ＣをシリンジＡの前部から取り外し、図４（ａ）に示すように、代わってキャップＤをシリンジＡの前部に装着する。
キャップＤを装着すると、前壁部３５の後面がシリンジＡのノズル部４の先端と当接するとともに、流通口３を密封するので、シリンジＡの内方は密閉される。
【００３５】
キャップＤをシリンジＡの前部に装着した後、プランジャーロッドＢの装着体Ｂ３の内側フランジ２６および大径プランジャーロッドＢ１の外側フランジ１３の外周壁１８の端面を押圧して押し込み、プランジャーロッドＢをシリンジＡ内で前方に摺動させる。
【００３６】
その際、装着体Ｂ３の内側フランジ２６を押し込むと、内側フランジ２６の前面に配設された装着片２７の先端部が、大径プランジャーロッドＢ１のそれぞれの案内リブ１５の後端に当接し、大径プランジャーロッドＢ１を押し込んでいくので、内側フランジ２６のみを押し込むようにしてもよい。
【００３７】
図４（ｂ）に示すように、大径プランジャーロッドＢ１が前方に押し込まれ、シリンジＡの胴部２内の内室が加圧されると、キャップＤによりシリンジＡの内方が密封されているので、内室内の第１剤ａおよび第２剤ｂは、大径プランジャーロッドＢ１の前端壁１１の連通孔１０を通り、大径プランジャーロッドＢ１内に流入し、流入した剤の圧により、小径プランジャーＢ２のピストン壁２１を押し込んでいく。
【００３８】
ピストン壁２１が押し込まれると、プランジャーロッドＢ内の小径プランジャーＢ２と装着体Ｂ３との間のスプリング部材Ｂ４を縮ませながら小径プランジャーＢ２を大径プランジャーロッドＢ１に対して後方に摺動させ、大径プランジャーロッドＢ１の周壁１２の内方に第１剤ａおよび第２剤ｂの流入した内室を形成していく。
【００３９】
シリンジＡの内室から大径プランジャーロッドＢ１の内室に、大径プランジャーロッドＢ１の連通孔１０を介して第１剤ａおよび第２剤ｂが流入されることにより、連通孔１０の付近で液の乱流が発生し、第１剤ａと第２剤ｂとが混合され、混合剤ｃが形成されていく。
【００４０】
また、プランジャーロッドＢの大径プランジャーロッドＢ１内で小径プランジャーＢ２が後方に摺動していくと、大径プランジャーロッドＢ１内の小径プランジャーＢ２と装着体Ｂ３との空間内で、空気が圧縮されると抵抗となり、小径プランジャーＢ２の後退の妨げとなるが、本実施形態では、装着体Ｂ３と大径プランジャーロッドＢ１との間の間隙と、大径プランジャーロッドＢ１の外側フランジ１３のエアー通過孔２０を介して、該空間と容器外との空気の流通は行われるので、空気の圧縮が起こらず、小径プランジャーＢ２の後退の妨げは起こらない。
【００４１】
プランジャーロッドＢをシリンジＡに対して最後まで押し込むと、図５（ａ）に示すように、シリンジＡの内室の第１剤ａおよび第２剤ｂが大径プランジャーロッドＢ１の内室に混合剤ｃとして完全に流入される。
【００４２】
次に、プランジャーロッドＢの押圧を外すと、図５（ｂ）に示すように、縮んだスプリング部材Ｂ４の反撥作用により、小径プランジャーＢ２を前方に押し戻し、大径プランジャーロッドＢ１に対して前方に摺動させる。
小径プランジャーＢ２が前方に摺動していくと、大径プランジャーロッドＢ１の内室の混合剤ｃが連通孔１０を介して、シリンジＡ内に流入していくことにより、キャップＤにより密閉されたシリンジＡ内が加圧され、今度は、大径プランジャーロッドＢ１の前端壁１１を押圧し、大径プランジャーロッドＢ１自体を後方に押し戻し、シリンジＡ内に混合剤ｃが流入した内室が形成される。
【００４３】
また、大径プランジャーロッドＢ１の内室からシリンジＡの内室に、連通孔１０を介して混合剤ｃが流入されることにより、連通孔１０の付近で液の乱流が発生し、混合剤ｃがさらに混合される。
【００４４】
スプリング部材Ｂ４の反撥作用により、大径プランジャーロッドＢ１内で小径プランジャーＢ２が前方に押し戻されると、図６（ａ）に示すように、プランジャーロッドＢ全体がシリンジＡに対して後方に押し戻され、シリンジＡ内の内室に混合剤ｃを封入した容器が形成される。
【００４５】
シリンジＡ内の内室に混合剤ｃが戻された後は、混合剤ｃの混合状況により、再度、プランジャーロッドＢを押圧して前方に押し込み、大径プランジャーロッドＢ１の内室に混合剤ｃを移動させた後、プランジャーロッドＢの押圧を外し、スプリング部材Ｂ４の弾力により、混合剤ｃをシリンジＡ内の内室に戻させることを任意の回数繰り返すことにより、連通孔１０の付近で液の乱流を繰り返し発生させ、完全に攪拌させた混合剤ｃとすることができる。
【００４６】
本発明の混合噴出器は、プランジャーロッドＢをシリンジＡに対して押し込み、また、押し戻させ、連通孔１０で異なる薬剤等を移動させることより、液の乱流を発生させて混合させることができるので、薬剤等を混合させるために容器を振る必要がない。
【００４７】
シリンジＡ内の内室に混合剤ｃを戻した後、図６（ｂ）に示すように、シリンジＡの上部からキャップＤを外し、そのまま、プランジャーロッドＢを押し込み、混合剤ｃをシリンジＡのノズル部４の流通口３から噴出させることができる。
その際、プランジャーロッドＢ内は、スプリング部材Ｂ４の弾力により、小径プランジャーＢ２のピストン壁２１の前面と大径プランジャーロッドＢ１の前端壁１１後面とが当接し、連通孔１０を塞ぐので、大径プランジャーロッドＢ１内に混合剤ｃが流入することがなく、最後まで、混合剤ｃをシリンジＡのノズル部４の流通口３から噴出させることができる。
【００４８】
また、シリンジＡの上部からキャップＤを外した後、ノズル部材ＣをシリンジＡの上部に装着した後、泡抜きなどをして、針部材３１を介して混合剤ｃを注射または噴射することができる。
【００４９】
上記実施形態の混合噴出器は、シリンジＡの上方に針部材３１を取着したノズル部材Ｃを装着し、容器Ｍ１および容器Ｍ２に刺し、第１剤ａおよび第２剤ｂをシリンジ内に吸い込むようにしていたが、シリンジＡのノズル部４を介して、容器Ｍ１および容器Ｍ２から直接、第１剤ａおよび第２剤ｂを吸い込むことができれば、針部材３１を取着したノズル部材Ｃを用意しなくてもよい。
ノズル部材Ｃは上記実施例の形態に限定されない。
【００５０】
上記実施形態では、二つの異なる第１剤と第２剤とを用意して、シリンジ内に別個に注入しているが、別個に吸入し、混合することができる量であれば、薬剤等の種類は何種類でもよく、混合する薬剤等の数は上記実施形態の数に限定されない。
【産業上の利用可能性】
【００５１】
本発明の混合噴出器は、シリンジに種類の異なる液剤等をそれぞれ吸入した後、シリンジ内を密閉し、プランジャーロッドを押圧操作することで、シリンジ内とプランジャーロッド内との間で薬剤等を行き来させることにより、より確実に攪拌させた混合剤とすることが簡単かつ短時間でできるので、例えば医療用注射器や複数剤混合型接着剤の混合噴出器として広く利用することができる。
【符号の説明】
【００５２】
Ａ            シリンジ
Ｂ            プランジャーロッド
Ｂ１          大径プランジャーロッド
Ｂ２          小径プランジャー
Ｂ３          装着体
Ｂ４          スプリング部材
Ｃ            ノズル部材
Ｄ            キャップ
Ｍ１、Ｍ２    容器
ａ            第１剤
ｂ            第２剤
ｃ            混合剤
１            前壁
２            胴部
３            流通口
４            ノズル部
５            装着部
６            フランジ
７、３２、３７  ねじ
１０          連通孔
１１          前端壁
１２          周壁
１３          外側フランジ
１４          摺動突部
１５          案内リブ
１６、２８    係合突部
１７          フランジ壁
１８          外周壁
１９          係合孔
２０          エアー通過孔
２１          ピストン壁
２２          前周壁
２３          安定リブ
２４          後周壁
２５          内壁
２６          内側フランジ
２７          装着片
３０          装着部材
３１          針部材
３５          前壁部
３６          装着壁
【図１】
2014045949.tif 000003
【図２】
2014045949.tif 000004
【図３】
2014045949.tif 000005
【図４】
2014045949.tif 000006
【図５】
2014045949.tif 000007
【図６】
2014045949.tif 000008